(57)【要約】      （修正有）【課題】商品価値の高い名刺を提供する。【解決手段】外面部に氏名表示部を有する折畳み可能な名刺３であって、この名刺３は開いた際、内面部に立体４が突出状態で現出するように構成され、前記立体４には、前記氏名表示部に氏名が表示された人物の顔５を表示する。また該人物の顔５は、材料薄片６における縦折れ線部６ａを境とした左右位置に、材料薄片６の横方向に長さを有する切り抜き部４ａを所定間隔を介して並列状態で形成するとともに、縦折れ線部６ａ付近に折り曲げ部４ｂを形成している。この左右の切り抜き部４ａは互いに連設しない互い違いの位置に形成して構成する。【選択図】図２
0003146276.tif 000002
【実用新案登録請求の範囲】
【請求項１】
外面部に氏名表示部を有する折畳み可能な名刺であって、この名刺は開いた際、内面部に立体が突出状態で現出するように構成され、前記立体には、前記氏名表示部に氏名が表示された人物の顔が表示されていることを特徴とする名刺。
【請求項２】
請求項１記載の名刺において、前記立体の輪郭と、前記氏名表示部に氏名が表示される人物の頭部の輪郭とは略一致するように構成されていることを特徴とする名刺。
【請求項３】
請求項１，２いずれか１項に記載の名刺において、前記立体には、前記氏名表示部に氏名が表示された人物の顔が似顔絵で表示されていることを特徴とする名刺。
【請求項４】
請求項１〜３いずれか１項に記載の名刺において、この名刺は紙やプラスチックなどの薄くて曲げに強い素材で形成されていることを特徴とする名刺。
【考案の詳細な説明】
【技術分野】
【０００１】
本考案は、名刺に関するものである。
【背景技術】
【０００２】
従来から、名刺に付加価値を付与すべく、単に氏名、住所、勤務先、身分などを表示するだけでなく、カラフルなデザインとしたり、更には、例えば実用新案登録第３０２０３８４号に開示されるように、氏名が表示される人物の顔を絵や写真で表示したりするなど、様々なアイデアが盛り込まれた名刺が種々提案されている。
【０００３】
【特許文献１】実用新案登録第３０２０３８４号公報
【考案の開示】
【考案が解決しようとする課題】
【０００４】
ところが、従来から提案される名刺はいずれもインパクトが弱く、狙った程の効果が得られていないのが現状である。特に氏名が表示される人物の顔が表示される名刺は、名刺を渡した相手に氏名と顔を覚えて貰うことを狙いとしたアイデアまでは良いが、実際にはインパクトを十分に与えられずそれほどの効果は得られていない。
【０００５】
本出願人は、この名刺について更なる研究開発を進め、その結果、極めて商品価値の高い画期的な名刺を考案した。
【課題を解決するための手段】
【０００６】
添付図面を参照して本考案の要旨を説明する。
【０００７】
外面部に氏名表示部１を有する折畳み可能な名刺３であって、この名刺３は開いた際、内面部に立体４が突出状態で現出するように構成され、前記立体４には、前記氏名表示部１に氏名が表示された人物の顔５が表示されていることを特徴とする名刺に係るものである。
【０００８】
また、請求項１記載の名刺において、前記立体４の輪郭４’と、前記氏名表示部１に氏名が表示される人物の頭部７の輪郭７’とは略一致するように構成されていることを特徴とする名刺に係るものである。
【０００９】
また、請求項１，２いずれか１項に記載の名刺において、前記立体４には、前記氏名表示部１に氏名が表示された人物の顔５が似顔絵で表示されていることを特徴とする名刺に係るものである。
【００１０】
また、請求項１〜３いずれか１項に記載の名刺において、この名刺３は紙やプラスチックなどの薄くて曲げに強い素材で形成されていることを特徴とする名刺に係るものである。
【考案の効果】
【００１１】
本考案は上述のように構成したから、単にカラフルなデザインとしたり、氏名が表示される人物の顔が絵や写真で表示されるだけの場合に比し、極めて斬新でユニークな構成故に名刺を渡した相手に非常に強いインパクトを与え、この名刺を渡した相手に氏名と顔を強く印象付けることができるなど、名刺の機能を最大限に発揮し得る極めて商品価値の高い画期的な名刺となる。
【考案を実施するための最良の形態】
【００１２】
好適と考える本考案の実施形態を、図面に基づいて本考案の作用を示して簡単に説明する。
【００１３】
本考案は、折畳み状態の名刺３を開いた際、名刺３の内面部に立体４が突出状態で現出し、この立体４には、氏名表示部１に氏名が表示される人物の顔５が表示されており、この名刺を受け取った相手は非常に強いインパクトを受けることになる。
【００１４】
即ち、この名刺を受け取った相手は、氏名表示部１で氏名を確認した後、名刺３を開いた際、その人物の顔５が立体的に現出することになるから（例えば名刺を受け取った直後であれば目の前にいる人物の顔５が名刺の中から飛び出してくることになるから）、初めて見る驚きとそのユニークさに非常に強いインパクトを受けることになる。
【００１５】
従って、この名刺を渡した相手に氏名と顔を強く印象付ける（脳裏に焼き付ける）ことができることになるなど、名刺の機能を最大限に発揮し得ることになる。
【００１６】
また、請求項２記載の考案のように、立体４の輪郭４’と、氏名表示部１に氏名が表示される人物の頭部７の輪郭７’とは略一致するように構成されている場合には、氏名表示部１に氏名が表示される人物の顔５を最大限アピールすることができ、その顔５を名刺を渡した相手に強く印象付けることができる。
【００１７】
また、請求項３記載の考案のように、立体４に、人物の顔５が似顔絵で表示されている場合には、ユーモアに溢れて非常に親しみあるものとなり、名刺を渡した相手に好印象を与えることができる。例えば顔５の表示が写実的なものであると堅苦しくなってしまう場合があるが、請求項３記載の考案の場合には、このようなことはない。
【００１８】
また、請求項４記載の考案のように、名刺３を紙やプラスチックなどの薄くて曲げに強い素材で形成した場合には、繰り返し行なわれる開閉操作に長期間、耐え得るものとなる。
【実施例】
【００１９】
本考案の具体的な一実施例について図面に基づいて説明する。
【００２０】
本実施例は、外面部に氏名表示部１（氏名を表示する部分）を有する折畳み可能な名刺３であって、この名刺３を開いた際、名刺３の内面部に立体４が突出状態で現出するように構成されたものである。
【００２１】
以下、本実施例に係る構成各部について詳細な説明をする。
【００２２】
名刺３は、図１〜３に図示したように名刺を構成するに適した材料、紙やプラスチックの材料で構成されており、所定の大きさ（４つ折りした際に名刺サイズとなる大きさ）の材料薄片６を４つ折り自在に設けて構成されている。
【００２３】
具体的には、図３に図示したように長方形状の材料薄片６の長さ方向中央位置に縦折れ線部６ａが形成されるとともに、材料薄片６の横方向中央位置に横折れ線部６ｂ及び横切離部６ｃが形成されている。
【００２４】
この縦折れ線部６ａ，横折れ線部６ｂ及び横切離部６ｃは、金型とプレス加工機を用いた打ち抜き加工、或いは、レーザー光線を用いた加工で形成され、縦折れ線部６ａ及び横折れ線部６ｂは非貫通スリットを形成して構成され、横切離部６ｂは貫通スリットを形成して構成される。
【００２５】
従って、材料薄片６は縦折れ線部６ａ及び横折れ線部６ｂをもとに４つ折りにすることができる。
【００２６】
また、材料薄片６における横折れ線部６ｂ及び横切離部６ｃを境とした一方の部位（図３中下方部位）には立体４が形成される。
【００２７】
この立体４は、図２〜４に図示したように貫通スリットから成る切り抜き部４ａと、非貫通スリットから成る折り曲げ部４ｂを形成して構成されている。
【００２８】
具体的には、材料薄片６における縦折れ線部６ａを境とした左右位置に、材料薄片６の横方向に長さを有する切り抜き部４ａを所定間隔を介して並列状態で形成するとともに、縦折れ線部６ａ付近に折り曲げ部４ｂを形成している。この左右の切り抜き部４ａは互いに連設しない互い違いの位置に形成されている。
【００２９】
従って、展開状態の材料薄片６を縦折れ線部６ａにおいて折り畳んだ際、名刺３の内側に該名刺３の一部が切り抜かれ縦折れ線部６ａにまたがる状態の立体４が突出状態で現出することになる（図２参照）。尚、立体４の根元部へも非貫通スリットから成る折り曲げ部４ｃを形成して立体４の起き上がりが良好に行なわれるように構成されている。
【００３０】
この立体４は、後述する人物の顔５を表示するものであり、人物の頭部７における額のあたりから鼻にかけて徐々に突出度合いが高くなり（鼻が位置する部分が最も突出度合いが高い）、この鼻から顎にかけて徐々に突出度合いが低くなるように構成されており、これは、前述した切り抜き部４ａの長さや位置、折り曲げ部４ｂ，４ｃの位置を適宜設定することで構成される（図２，４参照）。
【００３１】
尚、立体４は前述した構成に限らないのは勿論である。
【００３２】
また、立体４には、氏名表示部１に氏名が表示される人物の顔５が表示されている。
【００３３】
この人物の顔５は、図２，３に図示したように似顔絵で表示されており、具体的には、氏名表示部１に氏名が表示される人物の頭部７（身体の首から上の部位）が、該頭部７の輪郭７’が前記立体４の輪郭４’と略一致する状態で表示されている。
【００３４】
この人物の顔５は、材料薄片６に加工（縦折れ線部６ａ，横折れ線部６ｂ，横切離部６ｃ，切り抜き部４ａ及び折り曲げ部４ｂを形成する加工）を行なった後に印刷される。
【００３５】
また、材料薄片６における横折れ線部６ｂ及び横切離部６ｃを境とした他方の部位（図３中上方部位）にして、縦折れ線部６ａを境とした一方の部位（図３中左上部位）には、氏名、住所、勤務先、身分などを印刷して表示する氏名表示部１が設けられている。
【００３６】
この氏名表示部１は、材料薄片６を４つ折りした際、名刺３の外面部に位置するように構成されている。
【００３７】
また、この氏名表示部１以外の部位（材料薄片６の表裏面の残りの部位）は各種情報を表示する情報表示部として設定されている。材料薄片６に印刷される各種文字やデザインは、前述した人物の顔５と同様、材料薄片６に加工（縦折れ線部６ａ，横折れ線部６ｂ，横切離部６ｃ，切り抜き部４ａ及び折り曲げ部４ｂを形成する加工）を行なった後に印刷される。
【００３８】
本実施例は上述のように構成したから、折畳み状態の名刺３を開いた際、名刺３の内面部に立体４が突出状態で現出し、この立体４には、氏名表示部１に氏名が表示される人物の顔５が表示されており、この名刺３を受け取った相手は、氏名表示部１で氏名を確認した後、名刺３を開いた際、氏名表示部１に氏名が表示される人物の顔５が立体的に現出することになるから（例えば名刺を受け取った直後であれば目の前にいる人物の顔５が名刺の中から飛び出してくることになるから）、初めて見る驚きとそのユニークさに非常に強いインパクトを受けることになる。
【００３９】
よって、本実施例によれば、この名刺を渡した相手に氏名が表示される人物の氏名と顔を強く印象付ける（脳裏に焼き付ける）ことができることになるなど、名刺の機能を最大限に発揮し得ることになる。
【００４０】
また、本実施例は、立体４の輪郭４’と、氏名表示部１に氏名が表示される人物の頭部７の輪郭７’とは略一致するように構成されているから、氏名表示部１に氏名が表示される人物の顔５を最大限アピールすることができ、その顔５を名刺を渡した相手に強く印象付けることができる。
【００４１】
また、本実施例は、立体４には、氏名表示部１に氏名が表示された人物の顔５が似顔絵で表示されているから、ユーモアに溢れて非常に親しみあるものとなり、名刺を渡した相手に好印象を与えることができる。例えば顔５の表示が写実的なものであると堅苦しくなってしまう場合がある。
【００４２】
また、本実施例は、名刺３は紙やプラスチックなどの薄くて曲げに強い素材で形成されているから、繰り返し行なわれる開閉操作に長期間、耐え得るものとなる。
【００４３】
尚、本考案は、本実施例に限られるものではなく、各構成要件の具体的構成は適宜設計し得るものである。
【図面の簡単な説明】
【００４４】
【図１】本実施例を示す斜視図である。
【図２】本実施例の動作説明図である。
【図３】本実施例に係る名刺３の展開正面図である。
【図４】本実施例に係る要部の動作説明図である。
【符号の説明】
【００４５】
１  氏名表示部
３  名刺
４  立体
４’  輪郭
５  顔
７  頭部
７’  輪郭
【図１】
0003146276.tif 000003
【図２】
0003146276.tif 000004
【図３】
0003146276.tif 000005
【図４】
0003146276.tif 000006